(57)【要約】      （修正有）【課題】データ処理の複雑さと遅延を低減することが可能である中継伝送方法及び装置を提供する。【解決手段】無線通信システムにおいて、中継端末設備は、遠隔端末設備がネットワーク設備に送信したアダプテーション層ＰＤＵを受信する。アダプテーション層ＰＤＵは、遠隔端末設備が層のアダプテーション層によってアダプテーション層ＰＤＵに含まれるデータをカプセリング処理され、遠隔端末設備の識別情報を含む。中継端末設備は、上記遠隔端末設備の識別情報に基づいてネットワーク設備に、アダプテーション層ＰＤＵに含まれるデータを転送する。【選択図】図３
2020191672.tif 000002
【特許請求の範囲】
【請求項１】
中継伝送方法であって、
中継端末設備が、遠隔端末設備がネットワーク設備に送信したアダプテーション層プロトコルデータユニット（ＰＤＵ）を、第１のインタフェースを介して受信し、ここで、前記アダプテーション層ＰＤＵは、前記遠隔端末設備の識別情報を含むことと、
前記中継端末設備が、前記アダプテーション層ＰＤＵに含まれる前記遠隔端末設備の識別情報を取得することと、
前記中継端末設備が、取得された前記遠隔端末設備の識別情報に基づいて、前記ネットワーク設備に前記アダプテーション層ＰＤＵに含まれるデータを転送することとを含み、
前記アダプテーション層ＰＤＵのヘッダ部は、指示情報を含み、前記指示情報は、前記アダプテーション層ＰＤＵに含まれるデータが中継データであることを示すためのものである、
前記中継伝送方法。
【請求項２】
前記遠隔端末設備の識別情報は、前記遠隔端末設備のアダプテーション層識別子または前記遠隔端末設備の端末設備識別子を含むことを特徴とする
請求項１に記載の中継伝送方法。
【請求項３】
前記中継端末設備の、第１のインタフェースに対応するユーザープレーンプロトコルスタックにおいて、層２は、底層と前記底層の上に位置する前記アダプテーション層のみを含み、または、
前記中継端末設備の、第１のインタフェースに対応するユーザープレーンプロトコルスタックにおいて、層２は、底層、前記アダプテーション層、無線リンク制御層プロトコル（ＲＬＣ）層とパケットデータ収束プロトコル（ＰＤＣＰ）層を含み、ここで、前記アダプテーション層は前記ＲＬＣ層と前記底層との間に位置し、
前記第１のインタフェースは、前記中継端末設備と前記遠隔端末設備との間の通信インタフェースであることを特徴とする
請求項１または２に記載の中継伝送方法。
【請求項４】
第１のインタフェースに対応するユーザープレーンプロトコルスタックにおいて、前記アダプテーション層以下に位置する層は、前記中継端末設備と前記遠隔端末設備との間で使用される設備から設備（Ｄ２Ｄ）の通信技術に対応することを特徴とする
請求項１〜３のいずれか１項に記載の中継伝送方法。
【請求項５】
前記中継端末設備が、取得された前記遠隔端末設備の識別情報に基づいて、前記ネットワーク設備に前記アダプテーション層ＰＤＵに含まれるデータを転送することは、
前記中継端末設備が、前記遠隔端末設備の識別情報に基づいて、第２のインタフェースに対応する層２ＰＤＵを生成することと、
前記中継端末設備が、前記ネットワーク設備に前記第２のインタフェースに対応する前記層２ＰＤＵを送信することとを含むことを特徴とする
請求項１〜４のいずれか１項に記載の中継伝送方法。
【請求項６】
前記中継端末設備が、取得された前記遠隔端末設備の識別情報に基づいて、前記ネットワーク設備に前記アダプテーション層ＰＤＵに含まれるデータを転送する前に、前記中継伝送方法は、
前記中継端末設備が、前記アダプテーション層ＰＤＵに含まれる前記指示情報に基づいて、前記ネットワーク設備に前記アダプテーション層ＰＤＵに含まれるデータを転送する必要があることを確定することをさらに含むことを特徴とする
請求項１〜５のいずれか１項に記載の中継伝送方法。
【請求項７】
中継伝送方法であって、
中継端末設備が、ネットワーク設備が遠隔端末設備に送信したデータパケットを受信することと、
前記中継端末設備が、前記データパケットに含まれるデータをカプセリング処理して、アダプテーション層プロトコルデータユニット（ＰＤＵ）を獲得し、ここで、前記アダプテーション層ＰＤＵは、前記遠隔端末設備の識別情報を含むことと、
前記中継端末設備が、前記遠隔端末設備に前記アダプテーション層ＰＤＵを送信することとを含む、
前記中継伝送方法。
【請求項８】
前記遠隔端末設備の識別情報は、前記遠隔端末設備のアダプテーション層識別子または前記遠隔端末設備の端末設備識別子を含むことを特徴とする
請求項７に記載の中継伝送方法。
【請求項９】
前記中継端末設備の、第１のインタフェースに対応するユーザープレーンプロトコルスタックにおいて、層２は、底層と前記底層の上に位置する前記アダプテーション層のみを含み、または、
前記中継端末設備の、第１のインタフェースに対応するユーザープレーンプロトコルスタックにおいて、層２は、底層、前記アダプテーション層、無線リンク制御層プロトコル（ＲＬＣ）層とパケットデータ収束プロトコル（ＰＤＣＰ）層を含み、ここで、前記アダプテーション層は前記ＲＬＣ層と前記底層との間に位置し、
前記第１のインタフェースは、前記中継端末設備と前記遠隔端末設備との間の通信インタフェースであることを特徴とする
請求項７または８に記載の中継伝送方法。
【請求項１０】
第１のインタフェースに対応するユーザープレーンプロトコルスタックにおいて、前記アダプテーション層以下に位置する層は、前記中継端末設備と前記遠隔端末設備との間で使用される設備から設備（Ｄ２Ｄ）の通信技術に対応することを特徴とする
請求項７〜９のいずれか１項に記載の中継伝送方法。
【請求項１１】
前記中継端末設備が、ネットワーク設備が遠隔端末設備に送信したデータパケット受信することは、
前記中継端末設備が、ネットワーク設備が遠隔端末設備に送信した第２のインタフェースに対応する層２ＰＤＵを受信し、ここで、前記第２のインタフェースに対応する層２ＰＤＵは、前記データを含むことを含むことを特徴とする
請求項７〜１０のいずれか１項に記載の中継伝送方法。
【請求項１２】
前記データパケットは、中継特定論理チャネル識別子を含み、
前記中継端末設備が、層２のアダプテーション層で前記データパケットに含まれるデータをカプセリング処理して、アダプテーション層ＰＤＵを獲得する前に、前記中継伝送方法は、
前記中継端末設備が、前記中継特定論理チャネル識別子に基づいて、前記データパケットに含まれるデータを転送する必要があることを確定することをさらに含むことを特徴とする
請求項７〜１１のいずれか１項に記載の中継伝送方法。
【請求項１３】
前記データパケットは、前記ネットワーク設備が中継特定無線ネットワーク一時識別子（ＲＮＴＩ）によってスクランブリングされた物理ダウンリンク制御チャネル（ＰＤＣＣＨ）によって、スケジューリングされたものであり、
前記中継端末設備が、層２のアダプテーション層で前記データパケットに含まれるデータをカプセリング処理して、アダプテーション層ＰＤＵを獲得する前に、前記中継伝送方法は、
前記中継端末設備が、前記データパケットをスケジューリングするためのＰＤＣＣＨに使用された中継特定ＲＮＴＩに基づいて、前記データパケットに含まれるデータを転送する必要があることを確定することをさらに含むことを特徴とする
請求項７〜１１のいずれか１項に記載の中継伝送方法。
【請求項１４】
中継伝送装置であって、
プロセッサと、
命令が記憶されるメモリと、を含み、
前記命令が前記プロセッサによって実行される場合、前記プロセッサが請求項１〜６のいずれか１項に記載の方法を実行する、
前記中継伝送装置。
【請求項１５】
中継伝送装置であって、
プロセッサと、
命令が記憶されるメモリと、を含み、
前記命令が前記プロセッサによって実行される場合、前記プロセッサが請求項７〜１３のいずれか１項に記載の方法を実行する、
前記中継伝送装置。
【発明の詳細な説明】
【技術分野】
【０００１】
本発明は、通信分野に関し、より具体的には、中継伝送方法及び装置に関する。
【背景技術】
【０００２】
設備から設備（Ｄ２Ｄ：Ｄｅｖｉｃｅ-ｔｏ-Ｄｅｖｉｃｅ）技術とは、ネットワーク設備によって転送せずに、隣接する端末設備が近距範囲で直接接続リンクを介してデータを伝送することが可能であることを意味する。Ｄ２Ｄ通信は、セルラシステムとライセンス周波数帯域リソースを共有して、統一された混合セルラー−Ｄ２Ｄネットワークを形成することが可能である。上記混合ネットワークにおいて、一部の端末設備は、まだセルラ通信モードで作動することが可能であり、すなわち、ネットワーク設備を介して他の端末設備と通信することが可能であるが、一部の端末設備は、Ｄ２Ｄ通信モードで動作することが可能であり、すなわち、他の端末設備との直通リンクを介して他の端末設備と直接にデータ伝送を行うことが可能である。
【０００３】
このほかに、Ｄ２Ｄ中継補助ネットワーク設備を介して端末設備とデータ伝送を行うことが可能であり、この場合、Ｄ２Ｄ中継とＤ２Ｄ端末との間はＤ２Ｄ通信モードを使用し、Ｄ２Ｄ中継とネットワーク設備との間はセルラ通信モードを使用する。Ｄ２Ｄ中継は、半二重方式によりデータを受信及び転送し、受信及び転送の過程で、モードの変換を実行する。
【０００４】
従来技術において、Ｄ２Ｄ中継は、インターネットプロトコル（ＩＰ：Ｉｎｔｅｒｎｅｔ  Ｐｒｏｔｏｃｏｌ）層（すなわち、層３）を介してＤ２Ｄ端末とネットワーク設備との間のデータ伝送を中継し、受信されるデータパケットは、順次に層１（すなわち、物理層）、層２（媒体アクセス制御（ＭＡＣ：Ｍｅｄｉａ  Ａｃｃｅｓｓ  Ｃｏｎｔｒｏｌ）層、無線リンク制御（ＲＬＣ：Ｒａｄｉｏ  Ｌｉｎｋ  Ｃｏｎｔｒｏｌ）層、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層を含む）、及び層３によって、デカプセリング処理を行い、順次に層３、層２と層１のカプセリング処理を経て、データの中継を実現するため、複雑さが比較的に高く、データを処理するのに遅延が比較的大きい。
【発明の概要】
【発明が解決しようとする課題】
【０００５】
本発明の実施例は、中継伝送処理の複雑さとデータ遅延を低減することが可能である中継伝送方法及び装置を開示する。
【課題を解決するための手段】
【０００６】
第１の態様において、
中継端末設備が、遠隔端末設備がネットワーク設備に送信したアダプテーション層プロトコルデータユニット（ＰＤＵ）を受信し、ここで、上記アダプテーション層ＰＤＵは、上記遠隔端末設備の識別情報を含み、上記アダプテーション層ＰＤＵは、上記遠隔端末設備が層２のアダプテーション層によって、上記アダプテーション層ＰＤＵに含まれるデータをカプセリング処理して獲得したものであることと、上記中継端末設備が、層２のアダプテーション層で上記アダプテーション層ＰＤＵに含まれる上記遠隔端末設備の識別情報を取得することと、上記中継端末設備が、取得された上記遠隔端末設備の識別情報に基づいて上記ネットワーク設備に、上記アダプテーション層ＰＤＵに含まれるデータを転送することとを含む中継伝送方法を提供する。
【０００７】
したがって、本発明の実施例による中継転送方法において、遠隔端末設備が、中継端末設備にアダプテーション層ＰＤＵを送信し、上記アダプテーション層ＰＤＵは、遠隔端末設備の識別情報を含み、上記中継端末設備は、アダプテーション層で上記アダプテーション層ＰＤＵに含まれる上記遠隔端末設備の識別情報を識別することが可能であり、上記遠隔端末設備の識別情報に基づいて、上記アダプテーション層ＰＤＵに含まれるデータを転送ことが可能であり、中継端末設備が層３中継を使用する先行技術の方法に比べて、中継端末設備の処理の複雑さを減少させ、中継データの伝送遅延を減少させ、システムの全体的な性能を向上させることが可能である。
【０００８】
選択的に、上記中継端末設備と遠隔端末設備との間の通信インタフェースは、第１のインタフェースであることが可能であり、上記中継端末設備とネットワーク設備との間の通信インタフェースは、第２のインタフェースであることが可能である。
【０００９】
選択的に、上記中継端末設備の中継伝送のためのユーザープレーンプロトコルスタックは、層１と層２を含むことが可能であり、また選択的に、層３を含まなくてもよく、ここで、上記中継端末設備の、第２のインタフェースに対応するユーザープレーンプロトコルスタックにおいて、層１は、具体的に物理層であることが可能であり、層２は、ＭＡＣ層のみを含むことが可能であり、またはＭＡＣ層の基礎の上でＲＬＣ層とＰＤＣＰ層をさらに含むことが可能である。
【００１０】
選択的に、上記中継端末設備の、第１のインタフェースに対応するユーザープレーンプロトコルスタックにおいて、層２は、底層と底層の上に位置するアダプテーション層のみを含むことが可能であり、ここで、上記アダプテーション層は、遠隔端末設備のユーザープレーンプロトコルスタックの層２において底層の上に位置するアダプテーション層と互換されることが可能であり、または、底層とアダプテーション層の基礎の上でＲＬＣ層とＰＤＣＰ層をさらに含むことも可能であり、ここで、上記アダプテーション層は、例えば、上記アダプテーション層は上記底層とＲＬＣ層との間のような上記底層上の任意の位置に位置することが可能である。
【００１１】
選択的に、上記中継端末設備と遠隔端末設備の、第１のインタフェースに対応するユーザープレーンプロトコルスタックにおいて、層１と層２の底層は、第１のインタフェース上で使用されるＤ２Ｄ通信技術に対応することが可能である。例えば、上記Ｄ２Ｄ通信技術が具体的にＬＴＥのサイドリンク技術である場合、上記層１は、具体的に物理層であり、層２の底層は、具体的にＭＡＣ層であることが可能である。
【００１２】
これにより、遠隔端末設備と中継端末設備の層２にアダプテーション層を設置して、上記遠隔端末設備と中継端末設備との間の第１のインタフェースが任意のＤ２Ｄ通信技術をサポートするようにして、システムの互換性と拡張性を向上させることが可能である。
【００１３】
選択的に、遠隔端末設備とネットワーク設備の中継伝送のためのユーザープレーンプロトコルスタックは、層１と層２を含むことが可能であり、また選択的に、層３を含まなくてもよく、ここで、遠隔端末設備的ユーザープレーンプロトコルスタック的層２は、底層、アダプテーション層、ＲＬＣ層とＰＤＣＰ層を含むことが可能であり、ネットワーク設備のユーザープレーンプロトコルスタックの層２は、ＭＡＣ層、ＲＬＣ層とＰＤＣＰ層を含むことが可能である。選択的に、遠隔端末設備のユーザープレーンプロトコルスタックの層１は中継端末設備のユーザープレーンプロトコルスタックの層１と、互いに対等層であることが可能であり、遠隔端末設備の層２の底層とアダプテーション層は、それぞれ中継端末設備の層２の底層とアダプテーション層と互いに対等層であることが可能である。選択的に、上記中継端末設備の層２がＲＬＣ層とＰＤＣＰ層を含まない場合、遠隔端末設備のユーザープレーンプロトコルスタックのＲＬＣ層とネットワーク設備のユーザープレーンプロトコルスタックのＲＬＣ層は、互いに対等層であることが可能であり、遠隔端末設備のユーザープレーンプロトコルスタックのＰＤＣＰ層とネットワーク設備のユーザープレーンプロトコルスタックのＰＤＣＰ層は、互いに対等層であることが可能である。
【００１４】
中継端末設備によって受信されたアダプテーション層ＰＤＵは、端末設備の識別情報を含むことが可能であり、ここで、選択的に、上記遠隔端末設備の識別情報は、上記遠隔端末設備のアダプテーション層識別子または上記遠隔端末設備の端末設備識別子を含むことが可能である。選択的に、上記アダプテーション層識別子は、ネットワーク設備が上記遠隔端末設備のためのベアリングを確立する過程で割り当てられることが可能である。
【００１５】
選択的に、上記中継端末設備は、層２のアダプテーション層で上記アダプテーション層ＰＤＵに含まれる遠隔端末設備の識別情報を識別して、上記アダプテーション層ＰＤＵに対応する遠隔端末設備を確定することが可能である。
【００１６】
選択的に、上記アダプテーション層ＰＤＵは、上記データが属するベアリングのベアリング識別情報をさらに含む。
【００１７】
上記ベアリングは、遠隔端末設備とネットワーク設備との間で確立される無線ベアリングであることが可能である。選択的に、上記ベアリングは、遠隔端末設備と中継端末設備との間の第１のベアリング及び中継端末設備とネットワーク設備との間の第２のベアリングを含むことが可能であり、ここで、上記第１のベアリングと上記第２のベアリングは、同じであるか又は異なるベアリング識別情報に対応することが可能である。
【００１８】
選択的に、上記ベアリングのベアリング識別情報は、ベアリング識別子または論理チャネル識別子を含むことが可能である。例えば、上記ベアリングのベアリング識別情報は、具体的に、第１のベアリングのベアリング識別子であることが可能である。
【００１９】
第１の態様の第１種の可能な実施形態において、上記中継端末設備が、取得された上記遠隔端末設備の識別情報に基づいて、上記ネットワーク設備に上記アダプテーション層ＰＤＵに含まれるデータを転送することは、上記中継端末設備が、上記上記遠隔端末設備の識別情報に基づいて、第２のインタフェースに対応する層２ＰＤＵを生成し、ここで、上記第２のインタフェースは、上記中継端末設備と上記ネットワーク設備との間の通信インタフェースであることと、上記中継端末設備が、上記ネットワーク設備に前記第２のインタフェースに対応する上記層２ＰＤＵを送信することとを含む。
【００２０】
選択的に、上記中継端末設備は、ネットワーク設備に上記データを含むデータパケットを送信することが可能であり、ここで、上記データパケットは、具体的に層１データフレームまたは層２ＰＤＵであることが可能であり、ここで、上記層２ＰＤＵは、具体的にＭＡＣ  ＰＤＵであることが可能であり、または上記中継端末設備のユーザープレーンプロトコルスタックがＲＬＣ層とＰＤＣＰ層を含む場合、上記層２ＰＤＵは具体的にＭＡＣ  ＰＤＵ、ＲＬＣ  ＰＤＵまたはＰＤＣＰ  ＰＤＵであることが可能である。
【００２１】
選択的に、上記層２ＰＤＵは、上記遠隔端末設備の端末設備識別子を含むことが可能であり、ここで、上記中継端末設備は、アダプテーション層識別子と端末設備識別子との間の対応関係を記憶することが可能である。
【００２２】
選択的に、上記層２ＰＤＵは、上記第２のベアリングのベアリング識別情報のよう上記データが属するベアリングのベアリング識別情報をさらに含むことも可能である。
【００２３】
上記可能な実施形態にあわせて、第１の態様の第２種の可能な実施形態において、上記アダプテーション層ＰＤＵのヘッダ部は、指示情報を含み、上記指示情報は、上記アダプテーション層ＰＤＵに含まれるデータが中継データであることを示すためのものであり、上記中継端末設備が、取得された上記遠隔端末設備の識別情報に基づいて、上記ネットワーク設備に上記アダプテーション層ＰＤＵに含まれるデータを転送する前に、上記中継伝送方法は、
上記中継端末設備が、上記アダプテーション層ＰＤＵに含まれる上記指示情報に基づいて、ネットワーク設備に上記アダプテーション層ＰＤＵに含まれるデータを転送する必要があることを確定することをさらに含む。
【００２４】
選択的に、上記アダプテーション層ＰＤＵのヘッダ部は、上記アダプテーション層ＰＤＵに含まれるデータが中継データであることを指示するおうに、指示情報を含むことが可能である。これにより、中継端末設備は、上記アダプテーション層ＰＤＵを受信した後、ヘッダ部の指示情報に基づいて、上記アダプテーション層ＰＤＵに含まれるデータを転送する必要があることを確定することが可能である。
【００２５】
選択的に、上記アダプテーション層ＰＤＵの指示情報は、明示的又は黙示的に指示することが可能である。
【００２６】
選択的に、中継端末設備は、受信されたアダプテーション層ＰＤＵがベアリング識別領域を含むかどうかを確定することによって、上記アダプテーション層ＰＤＵに含まれるデータが中継データであるかどうかを確定することが可能である。例えば、受信されたアダプテーション層ＰＤＵがベアリング識別領域を含んでいない場合、上記の中継端末設備は、上記アダプテーション層ＰＤＵに含まれるデータは中継データではなく、遠隔端末設備が中継端末設備自身に送信したものであると確定することが可能である。また、例えば、受信されたアダプテーション層ＰＤＵがベアリング識別領域を含む場合、中継端末設備は、上記アダプテーション層ＰＤＵに含まれるデータは中継データであり、ネットワーク設備に転送する必要があると確定することが可能である。
【００２７】
選択的に、中継端末設備は、受信されたアダプテーション層ＰＤＵのベアリング識別領域のベアリング識別情報を確定することによって、上記アダプテーション層ＰＤＵに含まれるデータが中継データであるかどうかを確定することが可能である。例えば、中継伝送のためのベアリングの中継ベアリング識別子の範囲を事前に定義したり、事前に設定することが可能である。この場合、選択的に、中継端末設備が受信したアダプテーション層ＰＤＵに含まれるベアリング識別情報が上記中継ベアリング識別子の範囲に属すると確定した場合、上記アダプテーション層ＰＤＵに含まれるデータが中継データであると確定することが可能である。選択的に、中継端末設備が、受信したアダプテーション層ＰＤＵに含まれるベアリング識別情報が上記中継ベアリング識別子の範囲に属しないと確定した場合、上記アダプテーション層ＰＤＵに含まれるデータは中継データでないと確定することが可能である。
【００２８】
上記可能な実施形態にあわせて、第１の態様の第３種の可能な実施形態において、上記中継端末設備が、取得された上記遠隔端末設備の識別情報に基づいて、上記ネットワーク設備に上記アダプテーション層ＰＤＵに含まれるデータを転送することは、上記中継端末設備が上記遠隔端末設備の識別情報と対応するプリアンブルを確定することと、上記中継端末設備が上記ネットワーク設備に上記プリアンブルを送信することと、上記中継端末設備が、上記ネットワーク設備が上記プリアンブルに基づいて送信したアップリンクグラントを受信し、上記アップリンクグラントは、上記ネットワーク設備が割り当てたアップリンク伝送リソースを含むことと、上記中継端末設備が上記アップリンク伝送リソースを使用して、上記ネットワーク設備に、上記アダプテーション層ＰＤＵに含まれるデータを送信することとを含む。
【００２９】
上記可能な実施形態にあわせて、第１の態様の第４種の可能な実施形態において、上記中継端末設備は、取得された上記遠隔端末設備の識別情報に基づいて、上記ネットワーク設備に上記アダプテーション層ＰＤＵに含まれるデータを転送することは、上記中継端末設備が上記ネットワーク設備にＢＳＲを送信し、ここで、上記ＢＳＲは、上記遠隔端末設備の端末設備識別子を含むことと、上記中継端末設備が、上記ネットワーク設備が上記ＢＳＲに基づいて送信したＰＤＣＣＨを受信し、上記ＰＤＣＣＨは、上記遠隔端末設備のアップリンクデータ伝送をスケジューリングするためのものであることと、上記中継端末設備が上記ＰＤＣＣＨに基づいて、上記ネットワーク設備に上記アダプテーション層ＰＤＵに含まれるデータを送信することとを含む。
【００３０】
上記ＰＤＣＣＨは、アップリンクグラントを含むことが可能である。上記中継端末設備は、上記ＰＤＣＣＨのアップリンクグラントに基づいて、ネットワーク設備が上記遠隔端末設備によって割り当てられたアップリンク伝送リソースであることを確定し、上記伝送リソースを使用してアダプテーション層ＰＤＵに含まれるデータを送信することが可能である。
【００３１】
第２の態様において、
遠隔端末設備が、層２のアダプテーション層でネットワーク設備に送信しようとするデータをカプセリング処理して、ＰＤＵを獲得し、ここで、上記アダプテーション層ＰＤＵは、上記遠隔端末設備の識別情報を含むことと、上記遠隔端末設備は、中継端末設備に上記アダプテーション層ＰＤＵを送信することとを含む他の中継伝送方法を提供する。
【００３２】
第３の態様において、
中継端末設備が、ネットワーク設備が遠隔端末設備に送信したデータパケットを受信することと、上記中継端末設備が、層２のアダプテーション層で上記データパケットに含まれるデータをカプセリング処理して、ＰＤＵを獲得し、ここで、上記アダプテーション層ＰＤＵは、上記遠隔端末設備の識別情報を含むことと、上記中継端末設備が上記遠隔端末設備に上記アダプテーション層ＰＤＵを送信することとを含む他の中継伝送方法を提供する。
【００３３】
選択的に、上記データパケットは、上記遠隔端末設備の端末設備識別子を含むことが可能であり、または上記データパケットは、上記遠隔端末設備のＲＮＴＩによってスクランブリングされたＰＤＣＣＨを介してスケジュールされたものであることが可能であり、または上記のデータパケットは、上記遠隔端末設備に対応する伝送リソースを使用して伝送されることが可能である。
【００３４】
選択的に、アダプテーション層ＰＤＵに含まれる上記遠隔端末設備の識別情報は、上記遠隔端末設備のアダプテーション層識別子または上記遠隔端末設備の端末設備識別子を含む。
【００３５】
選択的に、上記データパケットは、例えば第２のベアリングのベアリング識別情報のような、上記データが属するベアリングのベアリング識別情報をさらに含むことも可能であり、対応的に、上記アダプテーション層ＰＤＵは、第１のベアリングのベアリング識別情報のような上記ベアリングのベアリング識別情報を含むことも可能である。
【００３６】
選択的に、上記データパケットは、具体できに層１データフレームまたは層２ＰＤＵであることが可能である。
【００３７】
第３の態様の第１種の可能な実施形態において、上記中継端末設備が、ネットワーク設備あが遠隔端末設備に送信したデータパケット受信することは、上記中継端末設備が、ネットワーク設備が遠隔端末設備に送信した第２のインタフェースに対応する層２ＰＤＵを受信し、ここで、上記第２のインタフェースに対応する層２ＰＤＵは、上記データを含み、上記第２のインタフェースは、上記中継端末設備と上記ネットワーク設備との間の通信インタフェースであること−を含む。
【００３８】
選択的に、上記層２ＰＤＵは、具体的にＭＡＣ  ＰＤＵ、ＲＬＣ  ＰＤＵまたはＰＤＣＰ  ＰＤＵであることが可能である
上記可能な実施形態にあわせて、第３の態様の第２種の可能な実施形態において、上記データパケットは、中継特定論理チャネル識別子を含み、上記中継端末設備が、層２のアダプテーション層で上記データパケットに含まれるデータをカプセリング処理して、アダプテーション層ＰＤＵを獲得する前に、上記中継伝送方法は、上記中継端末設備が、上記中継特定論理チャネル識別子に基づいて、上記データパケットに含まれるデータを転送する必要があることを確定することをさらに含む。
【００３９】
上記中継特定論理チャネル識別子は、中継伝送を指示するために用いられることが可能である。
【００４０】
上記可能な実施形態にあわせて、第３の態様の第３種の可能な実施形態において、上記データパケットは、上記ネットワーク設備が中継特定無線ネットワーク一時識別子（ＲＮＴＩ）によってスクランブリングされたＰＤＣＣＨによって、スケジューリングされたものであり、上記中継端末設備が、層２のアダプテーション層で上記データパケットに含まれるデータをカプセリング処理して、アダプテーション層ＰＤＵをことの前に、上記中継伝送方法は、上記中継端末設備が、上記データパケットをスケジューリングするためのＰＤＣＣＨに使用された中継特定ＲＮＴＩに基づいて、上記データパケットに含まれるデータを転送する必要があることを確定することをさらに含む。
【００４１】
上記中継特定ＲＮＴＩは中継伝送を指示するために用いられることが可能である。
【００４２】
第４の態様において、
遠隔端末設備が、中継端末設備が送信したアダプテーション層プロトコルデータユニット（ＰＤＵ）を受信し、ここで、上記アダプテーション層ＰＤＵが、上記遠隔端末設備の識別情報を含むことと、上記遠隔端末設備が、層２のアダプテーション層で上記アダプテーション層ＰＤＵに含まれる上記遠隔端末設備の識別情報を取得することと、上記遠隔端末設備が、取得された上記遠隔端末設備の識別情報に基づいて、上記アダプテーション層ＰＤＵに対応する遠隔端末設備を確定することとを含む他の中継伝送方法を提供する。
【００４３】
選択的に、上記遠隔端末設備は、取得されたアダプテーション層ＰＤＵに含まれる遠隔端末設備の識別情報に基づいて、上記アダプテーション層ＰＤＵが自身に送信したかどうかを確定することが可能である。
【００４４】
選択的に、上記アダプテーション層ＰＤＵが自身に送信されたものであることが確定された場合、上記遠隔端末設備は、上記アダプテーション層ＰＤＵに含まれるデータを復調処理することが可能である。
【００４５】
選択的に、上記アダプテーション層ＰＤＵが自身に送信されたものではないことが確定された場合、上記遠隔端末設備は、上記アダプテーション層ＰＤＵを廃棄することが可能である。
【００４６】
第５の態様において、
第１の態様または第１の態様の任意の可能な実施形態の方法を実行するための中継伝送装置を提供する。具体的に、上記中継伝送装置は、上記第１の態様または第１の態様の任意の可能な実施形態の方法を実行するように構成されるユニットを含む。
【００４７】
第６の態様において、
上記第２の態様または第２の態様の任意の可能な実施形態の方法を実行するための他の中継伝送装置を提供する。具体的に、上記中継伝送装置は、上記第２の態様または第２の態様の任意の可能な実施形態の方法を実行するように構成されるユニットを含む。
【００４８】
第７の態様において、
上記第３の態様または第３の態様の任意の可能な実施形態の方法を実行するための他の中継伝送装置を提供する。具体的に、上記中継伝送装置は、上記第３の態様または第３の態様の任意の可能な実施形態の方法を実行するように構成されるユニットを含む。
【００４９】
第８の態様において、
上記第４の態様または第４の態様の任意の可能な実施形態の方法を実行するための他の中継伝送装置を提供する。具体的に、上記中継伝送装置は、上記第４の態様または第４の態様の任意の可能な実施形態の方法を実行するように構成されるユニットを含む。
【００５０】
第９の態様において、
命令を記憶するためのメモリと、上記メモリに記憶された命令を実行するためのプロセッサとを含み、また、上記プロセッサが、上記メモリに記憶された命令を実行する場合、この実行は、上記プロセッサが、第１の態様または第１の態様の任意の可能な実施形態中の方法を実行するようにする他の中継伝送装置を提供する。
【００５１】
第１０の態様において、
命令を記憶するためのメモリと、上記メモリに記憶された命令を実行するためのプロセッサとを含み、また、上記プロセッサが、上記メモリに記憶された命令を実行する場合、この実行は、上記プロセッサが、第２の態様または第２の態様の任意の可能な実施形態中の方法を実行するようにする他の中継伝送装置を提供する。
【００５２】
第１１の態様において、
命令を記憶するためのメモリと、上記メモリに記憶された命令を実行するためのプロセッサとを含み、また、上記プロセッサが、上記メモリに記憶された命令を実行する場合、この実行は、上記プロセッサが、第３の態様または第３の態様の任意の可能な実施形態中の方法を実行するようにする他の中継伝送装置を提供する。
【００５３】
第１２の態様において、
命令を記憶するためのメモリと、上記メモリに記憶された命令を実行するためのプロセッサとを含み、また、上記プロセッサが、上記メモリに記憶された命令を実行する場合、この実行は、上記プロセッサが、第４の態様または第４の態様の任意の可能な実施形態中の方法を実行するようにする他の中継伝送装置を提供する。
【００５４】
第１３の態様において、
第１の態様または第１の態様の任意の可能な実施形態の方法を実行するための命令が記憶されているコンピュータプログラムを記憶するためのコンピュータ読み取り可能な媒体を提供する。
【００５５】
第１４の態様において、
第２の態様または第２の態様の任意の可能な実施形態の方法を実行するための命令が記憶されているコンピュータプログラムを記憶するための他のコンピュータ読み取り可能な媒体を提供する。
【００５６】
第１５の態様において、
第３の態様または第３の態様の任意の可能な実施形態の方法を実行するための命令が記憶されているコンピュータプログラムを記憶するための他のコンピュータ読み取り可能な媒体を提供する。
【００５７】
第１６の態様において、
第４の態様または第４の態様の任意の可能な実施形態の方法を実行するための命令が記憶されているコンピュータプログラムを記憶するための他のコンピュータ読み取り可能な媒体を提供する。
【００５８】
第１７の態様において、
中継端末設備と、遠隔端末設備と、ネットワーク設備を含む中継伝送システムを提供する。
【００５９】
選択的に、上記中継端末設備は、第５の態様または第５の態様の任意の可能な実施形態中の装置であることが可能であり、上記遠隔端末設備は、第６の態様または第６の態様の任意の可能な実施形態中の装置であることが可能である。
【００６０】
選択的に、上記中継端末設備、第７の態様または第７の態様の任意の可能な実施形態中の装置であることが可能であり、上記遠隔端末設備は、第８の態様または第８の態様の任意の可能な実施形態中の装置であることが可能である。
【図面の簡単な説明】
【００６１】
【図１】本発明の実施例に適用される無線通信システムの概略的なフローチャートである。
【図２ａ】本発明の実施例が提供する中継伝送のための各設備のユーザープレーンプロトコルスタックの概略的な模式図である。
【図２ｂ】本発明の実施例が提供する中継伝送のための各設備の他のユーザープレーンプロトコルスタックの概略的な模式図である。
【図３】本発明の実施例が提供する中継伝送方法の概略的なフローチャートである。
【図４】本発明の他の実施例が提供する中継伝送方法の概略的なフローチャートである。
【図５】本発明の実施例が提供する中継伝送装置の概略的なブロック図である。
【図６】本発明の実施例が提供する他の中継伝送装置の概略的なブロック図である。
【図７】本発明の実施例が提供する他の中継伝送装置の概略的なブロック図である。
【図８】本発明の実施例が提供する他の中継伝送装置の概略的なブロック図である。
【図９】本発明の実施例が提供する他の中継伝送装置の概略的なブロック図である。
【図１０】本発明の実施例が提供する他の中継伝送装置の概略的なブロック図である。
【発明を実施するための形態】
【００６２】
本発明の実施例の技術的解決手段をより明確に説明するために、上記において、本発明の実施例または先行技術に対する説明のために必要な図面について簡単に説明し、明らかに、以下の説明における図面は、単なる本発明の一部の実施例であり、当業者にとっては、創造的な労力を払うことなく、これらの図面に従って他の図面を得ることができる。
【００６３】
以下は、本発明の実施例中の図面に合わせて、本発明の実施例中の技術的解決策を明確、完全に説明し、明らかに、記載された実施例は本発明の全部の実施例ではなく、ただ一部の実施例である。本発明の実施例に基づいて、当業者が創造的な労力を払うことなくて獲得される全ての他の実施例は本発明の範囲内である。
【００６４】
本文の用語「システム」と「ネットワーク」は、本文で相互交換的に使用できることは理解すべきである。本文の用語「及び／または」は、関連対象の関連関係を説明することに過ぎず、３つの関係が存在することが可能であり、例えば、Ａ及び／またはＢは、Ａのみ存在する場合、ＡとＢが同時に存在する場合、Ｂのみ存在する場合との３つの場合を意味する。このほかに、本文で符号"／"は、一般的に前後関連対象が"または"の関係であることを意味する。
【００６５】
図１は、本発明の実施例の無線通信システムの模式図であり、上記無線通信システム１００は、少なくとも一つのネットワーク設備１１０を含むことが可能である。ネットワーク設備１１０は、端末設備と通信する設備であることが可能である。それぞれのネットワーク設備１１０は、特定の地理的領域に通信カバレッジを提供することが可能であり、カバレッジエリア内に位置する端末設備と通信することが可能である。上記ネットワーク設備１１０は、グローバル移動通信（ＧＳＭ）システムまたは符号分割多元接続（ＣＤＭＡ：Ｃｏｄｅ  Ｄｉｖｉｓｉｏｎ  Ｍｕｌｔｉｐｌｅ  Ａｃｃｅｓｓ）システム中の基地局（ＢＴＳ：Ｂａｓｅ  Ｔｒａｎｓｃｅｉｖｅｒ  Ｓｔａｔｉｏｎ）であっても良く、広帯域符号分割多元接続（ＷＣＤＭＡ）システム中の基地局（ＮＢ：ＮｏｄｅＢ）であることもでき、ロング・ターム・エボリューション（ＬＴＥ）システム中のエボリューション型基地局（ｅＮＢまたはｅＮｏｄｅＢ：Ｅｖｏｌｕｔｉｏｎａｌ  Ｎｏｄｅ  Ｂ）であっても良く、クラウド無線接続ネットワーク（ＣＲＡＮ：Ｃｌｏｕｄ  Ｒａｄｉｏ  Ａｃｃｅｓｓ  Ｎｅｔｗｏｒｋ）中の無線コントローラであっても良く、上記ネットワーク設備は中継局、アクセスポイント、車載設備、ウェアラブル設備、未来５Ｇネットワーク中のネットワーク側の設備または将来エボリューションの公衆陸上移動ネットワーク（ＰＬＭＮ：Ｐｕｂｌｉｃ  Ｌａｎｄ  Ｍｏｂｉｌｅ  Ｎｅｔｗｏｒｋ）中のネットワーク設備などであっても良い。
【００６６】
上記無線通信システム１００は、ネットワーク設備１１０のカバレッジ範囲内に位置する複数の端末設備１２０をさらに含む。上記端末設備１２０は、移動または固定されることが可能である。上記端末設備１２０は、アクセス端末、加入者設備（ＵＥ：Ｕｓｅｒ  Ｅｑｕｉｐｍｅｎｔ）、加入者ユニット、加入者局、移動局、移動台、遠隔局、遠隔端末、モバイル設備、ユーザー端末、端末、無線通信設備、ユーザエージェントまたはユーザ装置を指すことが可能である。アクセス端末は、携帯電話、符号レス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線加入者回線（ＷＬＬ：Ｗｉｒｅｌｅｓｓ  Ｌｏｃａｌ  Ｌｏｏｐ）ステーション、パーソナルデジタルアシスタント（ＰＤＡ：Ｐｅｒｓｏｎａｌ  Ｄｉｇｉｔａｌ  Ａｓｓｉｓｔａｎｔ）、無線通信機能を備えるハンドヘルド設備、コンピューティング設備、または無線モデムに接続された他の処理設備、車載設備、ウェアラブル設備と未来５  Ｇネットワーク中の端末設備または将来エボリューションＰＬＭＮ中の端末設備等であっても良い。
【００６７】
図１は、例示的に一つのネットワーク設備と６つの端末設備を示し、選択的に、上記無線通信システム１００は、複数のネットワーク設備を含むことが可能であり、それぞれのネットワーク設備のカバレッジ範囲内で、他の数の端末設備を含むことも可能であるが、本発明の実施例は、これに対して限定しない。このほかに、上記無線通信システム１００は、モバイル管理エンティティ（ＭＭＥ：Ｍｏｂｉｌｅ  Ｍａｎａｇｅｍｅｎｔ  Ｅｎｔｉｔｙ）、サービングゲートウェイ（Ｓ-ＧＷ：Ｓｅｒｖｉｎｇ  Ｇａｔｅｗａｙ）、パケットデータネットワークゲートウェイ（Ｐ-ＧＷ：Ｐａｃｋｅｔ  Ｄａｔａ  Ｎｅｔｗｏｒｋ  Ｇａｔｅｗａｙ）等の他のネットワークエンティティをさらに含むことが可能であるが、本発明の実施例は、これに限定されない。
【００６８】
具体的に、端末設備１２０は、セルラ通信モードまたはＤ２Ｄ通信モードで通信することが可能であり、ここで、セルラ通信モードにおいて、端末設備は、ネットワーク設備と他の端末設備を介して通信することが可能であり、Ｄ２Ｄ通信モードにおいて、端末設備は、Ｄ２Ｄリンクを介して直接に他の端末設備と通信することが可能である。
【００６９】
図１に示された複数の端末設備１２０において、セルラ通信を使用してネットワーク設備１１０と通信するセルラ端末設備１とセルラ端末設備２、中継端末設備とネットワーク設備との間を介してデータを伝送するＤ２Ｄ端末設備１とＤ２Ｄ端末設備２、および中継端末設備１と中継端末設備２を例示的に示し、中継端末設備は、Ｄ２Ｄ端末設備がネットワーク設備に送信するアップリンクデータを中継伝送することが可能であり、またはネットワーク設備がＤ２Ｄ端末設備に送信するダウンリンクデータを中継伝送することが可能である。中継端末設備とＤ２Ｄ端末設備との間には、ＰＣ５インタフェースのような第１のインタフェースを備えられることも可能であり、Ｄ２Ｄ通信技術を使用して通信し、ここで、上記Ｄ２Ｄ通信技術は、具体的にＬＴＥ中のサイドリンク（ＳＬ：ＳｉｄｅＬｉｎｋ）技術であっても良く、ＷＬＡＮ中のＷＩＦＩまたはブルートゥース等の技術であっても良く、または他のＤ２Ｄ通信技術であっても良く、本発明の実施例は、これに対して限定しない。中継端末設備とネットワーク設備との間には、Ｕｕインタフェースのような第２のインタフェースが備えられることが可能であり、セルラ通信技術を使用して通信し、理解を助けるために、以下、上記第１のインタフェースを具体的にＰＣ５インタフェースで、第２のインタフェースを具体的にＵｕインタフェースでの例を挙げて説明するが、第１のインタフェースと第２のインタフェースは、具体的に、他の名称を持っても良く、本発明の実施例は、これに対して限定しない。
【００７０】
先行技術において、中継端末設備は、層３中継方式で中継を実施して、データ処理の遅延が比較的大きい。本発明の実施例では、中継端末設備は、層１又は層２の中継方法を使用してネットワーク設備とＤ２Ｄ端末設備との間のデータ転送を中継することが可能であり、このとき、Ｕｕインタフェースで伝送される中継データは、層１データフレームまたは層２ＰＤＵ方式を使用することが可能であり、ＰＣ５インタフェースに伝送される中継データは、層２ＰＤＵを使用することが可能であるが、本発明の実施例は、これに限定されない。
【００７１】
図２ａと図２ｂは、それぞれ中継伝送に使用される各設備のユーザーインタフェースプロトコルスタックを概略的に示す。図２ａに示すように、中継伝送するためのＤ２Ｄ端末設備、中継端末設備とネットワーク設備のユーザープレーンプロトコルスタックは、層１と層２を含むことが可能であり、ここで、上記中継端末設備のＰＣ５インタフェースの層１と層２は、それぞれ上記Ｄ２Ｄ端末設備のＰＣ５インタフェースの層１と層２と互いに対等層であり、上記中継端末設備のＵｕインタフェースの層１と層２は、それぞれ上記ネットワーク設備のＵｕインタフェースの層１と層２と互いに対等層である。このとき、選択的に、上記中継端末設備、ネットワーク設備とＤ２Ｄ端末設備の中継伝送するためのユーザープレーンプロトコルスタックは、層３を含まなくてもよいが、本発明の実施例は、これに限定されない。
【００７２】
具体的に、中継端末設備とネットワーク設備のＵｕインタフェースのユーザープレーン（Ｕｕ-Ｕと略称する）プロトコルスタックにおいて、層１は、具体的に、物理層（ＰＨＹ）であることが可能であり、層２は、ＭＡＣ層、ＲＬＣ層とＰＤＣＰ層を含むことが可能である。中継端末設備とＤ２Ｄ端末設備とのＰＣ５インタフェースのユーザープレーン（ＰＣ５-Ｕと略称する）プロトコルスタックにおいて、比較的に低い層（例えば、層１、または層１と層２の底層）は、ＰＣ５インタフェースで使用される具体的なＤ２Ｄ通信技術と対応することが可能であり、例えば、上記Ｄ２Ｄ通信技術が具体的にＬＴＥのサイドリンク技術である場合、上記ＰＣ５インタフェースのユーザープレーンプロトコルスタックの比較的に低い層は、ＰＨＹ層とＭＡＣ層を含むことが可能であり、上記Ｄ２Ｄ通信技術が具体的にＷｉｆｉ技術である場合、上記ＰＣ５インタフェースのユーザープレーンプロトコルスタックの比較的に低い層は、ＰＨＹ層とＭＡＣサブ層を含むことが可能であり、などなど、本発明の実施例は、これに限定されない。
【００７３】
図２ａに示すように、本発明の実施例のＰＣ５インタフェースのユーザープレーンプロトコルスタックにおいて、Ｄ２Ｄ端末設備を識別するために、アダプテーション（ＡＤＰ：ＡＤＰｔｉｖｅ）層を新たに追加することが可能であり、ここで、上記アダプテーション層は、中継データを識別してカプセリングするために用いられることが可能である。具体的に、上記アダプテーション層は、Ｄ２Ｄ端末設備の識別情報を識別するためにさらに用いられることが可能であり、例えば、Ｄ２Ｄ端末設備のアダプテーション層の識別子は、選択的に、中継伝送を示すための中継特定論理チャネル識別子（ＬＣＩＤ：Ｌｏｇｉｃａｌ  Ｃｈａｎｎｅｌ  Ｉｄｅｎｔｉｆｉｅｒ）を識別するために用いられることも可能である。このほかに、アダプテーション層は、下位層から受信された様々なＤ２Ｄ通信技術を使用して伝送されるデータをＤ２Ｄ通信技術と関係しない形に変換するために用いられることも可能であり、また選択的に、さらに、処理された後のデータを上位層に伝送して処理することが可能であり、類似に、上記アダプテーション層は、上位層から伝送されるデータをＰＣ５インタフェースに使用されるＤ２Ｄ通信技術に対応する形としてカプセリングするために用いられることが可能であり、カプセリングされたデータを下位層に伝送することが可能であり、例えば、層２の底層及び層１に伝送する。これにより、ＰＣ５インタフェースが様々なＤ２Ｄ通信技術をサポートするようにすることが可能である。
【００７４】
選択的に、上記アダプテーション層は、層２の底層の上に位置することが可能であり、ここで、上記層２の底層は、ＰＣ５インタフェースに使用されるＤ２Ｄ通信技術に対応することが可能である。具体的に、図２ａにおいて、上記ＡＤＰ層は、層２の底層とＲＬＣ層との間に位置し、選択的に、上記ＡＤＰ層は、ＲＬＣ層とＰＤＣＰとの間または層２のほかの位置に位置することも可能である、本発明の実施例は、これに対して限定しない。
【００７５】
図２ｂは、中継伝送のための各設備の他のユーザープレーンプロトコルスタックの例示を示す。ここで、図２ｂと図２ａは、以下の点で相違する。図２ｂにおいて、中継端末設備のユーザープレーンプロトコルスタックは、ＲＬＣ層とＰＤＣＰ層を含まず、それに応じて、上記Ｄ２Ｄ端末設備のＲＬＣ層とネットワーク設備のＲＬＣ層は、互いに対等層であり、Ｄ２Ｄ端末設備のＰＤＣＰ層とネットワーク設備のＰＤＣＰ層は、お互いに対等層である。この場合、上記中継端末設備がＤ２Ｄ端末設備とネットワーク設備との間のデータを中継する時に、上記データの解析処理を行わなくてもよいが、本発明の実施例は、これに限定されない。
【００７６】
図２ａと図２ｂの例は、本発明の実施例の範囲を制限しようとするものではなく、当業者に本発明の実施例をよりよく理解させるためのものであることに留意すべきである。当業者は、図２ａと図２ｂの例に基づいて、様々な等価な修正および変更を行うことができることは自明であり、このような修正または変更も、本発明の実施例の範囲内である。
【００７７】
図３は、本発明の実施例が提供する中継伝送方法２００を概略的に示す。上記中継伝送方法２００は、上記無線通信システム１００に適用されることが可能であるが、本発明の実施例は、これに限定されない。具体的に、上記中継伝送方法２００は、アップリンクデータの中継伝送に適用されることが可能であり、すなわち、Ｄ２Ｄ端末設備（遠隔端末設備とも称する）が中継端末設備を介してネットワーク設備にアップリンクデータを伝送することに適用されることが可能である。
【００７８】
Ｓ２１０において、遠隔端末設備は、層２のアダプテーション層で送信しようとするデータをカプセリング処理して、アダプテーション層プロトコルデータユニット（ＰＤＵ：Ｐｒｏｔｏｃｏｌ  Ｄａｔａ  Ｕｎｉｔ）を生成する。
【００７９】
選択的に、上記アダプテーション層が層２の底層の上に位置する場合、上記遠隔端末設備は、アダプテーション層によって、送信しようとするデータをカプセリング処理することが可能であり、または、アダプテーション層によるカプセリング処理の前に、ＲＬＣ層のまたは順次にＰＤＣＰ層とＲＬＣ層のカプセリング処理を経てカプセリング処理することが可能であるが、本発明の実施例は、これに対して限定しない。アダプテーション層によって、上記送信しようとするデータをカプセリング処理する場合、上記遠隔端末設備は、上記送信しようとするデータに上記遠隔端末設備の識別情報を追加して、アダプテーション層ＰＤＵを獲得することが可能であり、上記アダプテーション層ＰＤＵを層２の底層に伝送してさらにカプセリング処理することが可能であるが、本発明の実施例は、これに限定されない。
【００８０】
選択的に、上記遠隔端末設備の識別情報は、上記遠隔端末設備の端末設備識別子を含むことが可能である。上記端末設備識別子は、唯一に上記遠隔端末設備を識別するためのものであることが可能である。上記端末設備識別子は、事前に定義されることが可能であり、例えば、上記端末設備識別子は、具体的に、上記遠隔端末設備の設備識別子または上記遠隔端末設備のユーザー識別子、等々であっても良い。または、上記遠隔端末設備の識別情報は、上記遠隔端末設備のアダプテーション層識別子を含むことが可能であり、すなわち、アダプテーション層でカプセリングし、解析することが可能である識別子を含むことが可能である。上記遠隔端末設備のアダプテーション層識別子は、中継伝送中で、唯一に上記遠隔端末設備を識別するために使用することが可能である。上記遠隔端末設備のアダプテーション層識別子は、事前に定義されることが可能であり、ネットワーク設備によって配置されることもでき、例えば、上記遠隔端末設備のアダプテーション層識別子は、ネットワーク設備が上記遠隔端末設備のためにベアリングを確立する過程において上記遠隔端末設備のために割り当てられることが可能であるが、本発明の実施例は、これに限定されない。
【００８１】
選択的に、上記遠隔端末設備は、上記アダプテーション層ＰＤＵに含まれるデータが中継データであることを指示するための指示情報を含むことが可能であり、すなわち、上記指示情報は、上記アダプテーション層ＰＤＵに含まれるデータが上記中継端末設備に送信されたものではなく、上記中継端末設備がネットワーク設備に転送する必要があることを指示するためのものであることが可能である。
【００８２】
選択的に、上記アダプテーション層ＰＤＵ中の指示情報は、明示的又は黙示的に指示することが可能である。上記指示情報は、一つまたは複数のビットを占用することが可能である。
【００８３】
選択的に、本発明の実施例において、アダプテーション層ＰＤＵにベアリング識別領域を含むか含まないかによって、上記アダプテーション層ＰＤＵに含まれるデータが中継データであるかどうかを指示することが可能である。対応的に、中継端末設備が遠隔端末設備によって送信されるアダプテーション層ＰＤＵを受信した場合、上記アダプテーション層ＰＤＵがベアリング識別領域を含むかどうかを確定することが可能である。一つの選択可能な例として、上記アダプテーション層ＰＤＵがベアリング識別領域を含まない場合、上記中継端末設備は、上記アダプテーション層ＰＤＵに含まれるデータが中継データではなく、遠隔端末設備が中継端末設備自身に送信したものであると確定することが可能である。選択的に、上記アダプテーション層ＰＤＵがベアリング識別領域を含む場合、中継端末設備は、上記アダプテーション層ＰＤＵに含まれるデータは中継データであり、ネットワーク設備に転送する必要があると確定することあできるが、本発明の実施例は、これに限定されない。
【００８４】
選択的に、本発明の実施例において、中継端末設備は、アダプテーション層ＰＤＵのベアリング識別領域中のベアリング識別情報を識別することにより、上記アダプテーション層ＰＤＵに含まれるデータが中継データであるかどうかを確定することが可能である。例えば、中継伝送のためのベアリングの中継ベアリング識別子の範囲を事前に定義又は設定することが可能である。この場合、選択的に、中継端末設備が、受信されたアダプテーション層ＰＤＵに含まれるベアリング識別情報が上記中継ベアリング識別子範囲に属すると確定する場合、上記アダプテーション層ＰＤＵに含まれるデータは中継データであると確定することが可能である。選択的に、中継端末設備が、受信されたアダプテーション層ＰＤＵに含まれるベアリング識別情報が上記中継ベアリング識別子範囲に属しないと確定する場合、上記アダプテーション層ＰＤＵに含まれるデータが中継データでないと確定することが可能であるが、本発明の実施例は、これに限定されない。
【００８５】
選択的に、上記アダプテーション層ＰＤＵは、上記送信しようとするデータが属するベアリングのベアリング識別情報をさらに含むことが可能であり、ここで、上記ベアリング識別情報は、ベアリング識別子または論理チャネル識別子を含むことが可能であり、本発明の実施例は、これに対して限定しない。
【００８６】
Ｓ２２０において、遠隔端末設備は、中継端末設備に上記アダプテーション層ＰＤＵを送信する。
【００８７】
選択的に、上記遠隔端末設備は、層１を介して上記アダプテーション層ＰＤＵをさらに処理することが可能であり、また上記中継端末設備との間のＰＣ５インタフェースを介して上記中継端末設備に上記処理後のアダプテーション層ＰＤＵを送信することが可能であるが、本発明の実施例は、これに限定されない。
【００８８】
選択的に、ネットワーク側が上記遠隔端末設備にデータを中継するための時間周波数リソース、コード領域リソース及び／または空間領域リソースのような伝送リソースを配置している場合、上記遠隔端末設備は、中継伝送のための伝送リソースを介して上記中継端末設備に上記アダプテーション層ＰＤＵを送信することが可能である。この場合、上記中継端末設備は、上記アダプテーション層ＰＤＵが占用する伝送リソースに基づいて、上記アダプテーション層ＰＤＵに含まれるデータが中継データであることを確定することが可能である。選択的に、上記遠隔端末設備は、他の方式を介して上記アダプテーション層ＰＤＵに含まれるデータが中継データであることを指示することが可能であるが、本発明の実施例は、これに対して限定しない。
【００８９】
Ｓ２３０において、中継端末設備は、遠隔端末設備が送信したアダプテーション層ＰＤＵを受信し、アダプテーション層で上記アダプテーション層ＰＤＵに含まれる遠隔端末設備の識別情報を取得し、またＳ２４０において、取得された上記遠隔端末設備の識別情報に基づいて、上記ネットワーク設備に上記アダプテーション層ＰＤＵに含まれるデータを転送する。
【００９０】
上記中継端末設備は、アダプテーション層で、取得されたアダプテーション層ＰＤＵに含まれる遠隔端末設備の識別情報を解析することが可能であり、選択的に、上記中継端末設備のＰＣ５インタフェースに対応するユーザープレーンプロトコルスタックがＲＬＣ層とＰＤＣＰ層をさらに含む場合、上記中継端末設備は、上記アダプテーション層ＰＤＵを上記ＲＬＣ層とＰＤＣＰ層に伝送してさらに解析することも可能である。
【００９１】
具体的に、上記中継端末設備は、アダプテーション層で、受信されたアダプテーション層ＰＤＵに含まれる、例えば、遠隔端末設備のアダプテーション層識別子のような遠隔端末設備の識別情報を識別して、上記アダプテーション層ＰＤＵに対応する遠隔端末設備を確定することが可能である。上記中継端末設備は、獲得した遠隔端末設備の識別情報に基づいて、上記アダプテーション層ＰＤＵに含まれるデータをカプセリング処理して、Ｕｕインタフェースに対応するデータパケットを獲得することも可能であり、ここで、上記データパケットは、具体的に、層１データフレームまたは層２ＰＤＵであることが可能であり、またＵｕインタフェースを介してネットワーク設備に上記データパケットを送信することが可能である。
【００９２】
本発明の実施例において、層１データフレームは、データが更なる上位層のカプセリング処理を経由せず、層１のみによってカプセリング処理されることを指すことが可能である。上記層２ＰＤＵは、データの最外層または最高層が設備の層２でカプセリングされることを指すことが可能である。選択的に、Ｕｕインタフェースに対応するユーザープレーンプロトコルスタックにおいて、層２は、ＭＡＣ層、ＲＬＣ層とＰＤＣＰ層を含むことが可能である。対応的に、上記層２ＰＤＵは、具体的に、ＭＡＣ  ＰＤＵ、ＲＬＣ  ＰＤＵまたはＰＤＣＰ  ＰＤＵを指すことが可能である。ここで、ＭＡＣ  ＰＤＵは、ＲＬＣ層とＰＤＣＰ層でのカプセリング処理をせず、層２においてＭＡＣ層のみによってデータをカプセリング処理して獲得されるものであっても良く、ＲＬＣ  ＰＤＵは、ＰＤＣＰのカプセリング処理をせず、層２で順次にＲＬＣ層とＭＡＣ層によってデータをカプセリング処理して獲得されることが可能であり、ＰＤＣＰ  ＰＤＵは、層２で順次にＰＤＣＰ層、ＲＬＣ層とＭＡＣ層によってデータをカプセリング処理して獲得されるものであることが可能であり、本発明の実施例は、これに対して限定しない。
【００９３】
選択的に、上記データパケットは、上記遠隔端末設備の端末設備識別子を含むことが可能であり、例えば、上記中継端末設備は、事前に記憶された端末設備識別子とアダプテーション層識別子との間の対応関係に基づいて、上記アダプテーション層ＰＤＵに含まれるアダプテーション層識別子に対応する端末設備識別子を確定することが可能であり、上記データパケットは、確定された端末設備識別子を含むが、本発明の実施例は、これに限定されない。
【００９４】
選択的に、上記データパケットは、上記送信しようとするデータが属するベアリングのベアリング識別情報をさらに含むことも可能であるが、本発明の実施例は、これに限定されない。
【００９５】
選択的に、上記中継端末設備がネットワーク設備に上記データパケットを送信する前に、上記中継端末設備は、アップリンクグラントリクエストをさらに送信することも可能であり、上記ネットワーク設備によって割り当てられたアップリンク伝送リソースを使用して上記ネットワーク設備に上記データパケットを送信することが可能である。
【００９６】
一つの選択可能な実施例として、上記中継端末設備は、ネットワーク設備にスケジューリングリクエストを送信することが可能であり、上記スケジューリングリクエストは、ネットワーク設備が上記中継端末設備にアップリンク伝送リソースを割り当てるようにリクエストするためのものであり、上記ネットワーク設備は、上記スケジューリングリクエストを受信した後、上記スケジューリングリクエストに基づいて、上記中継端末設備にアップリンクグラントを送信することが可能であり、ここで、上記アップリンクグラントは、上記ネットワーク設備が上記中継端末設備のために割り当てられたアップリンク伝送リソースを指示するためのものであり、上記中継端末設備は、上記アップリンクグラントを受信した後、上記アップリンク伝送リソースを使用して上記ネットワーク設備に上記データパケットを送信することが可能である。
【００９７】
他の一つの選択可能な実施例として、上記中継端末設備は、まず、上記ネットワーク設備が上記遠隔端末設備のために割り当てたプリアンブルを確定することが可能であり、例えば、上記中継端末設備は、アダプテーション層識別子または端末設備識別子とプリアンブルとの間の対応関係に基づいて、上記アダプテーション層ＰＤＵに含まれる遠隔端末設備の識別情報に対応するプリアンブルを確定することが可能である。その後、上記中継端末設備は、上記ネットワーク設備に上記プリアンブルを送信してアップリンクグラントリクエストプロセスを開始することが可能である。上記ネットワーク設備は、上記中継端末設備によって送信されたプリアンブルを受信した後、上記プリアンブルに基づいて、上記中継端末設備にアップリンクグラントを送信することが可能であり、上記中継端末設備が上記アップリンクグラントによって指示されるアップリンク伝送リソースを使用して伝送されるデータパケットを受信した後、上記データパケットが占用するアップリンク伝送リソースに基づいて、上記データパケットに対応する遠隔端末設備を確定する。この場合、選択的に、上記データパケットは、上記遠隔端末設備の端末設備識別子を含まないことにより、シグナリングオーバーヘッドをさらに節約することが可能である。
【００９８】
他の一つの選択可能な実施例として、上記中継端末設備は、上記ネットワーク設備にバッファ状態レポート（ＢＳＲ：Ｂｕｆｆｅｒ  Ｓｔａｔｕｓ  Ｒｅｐｏｒｔ）を送信して、アップリンクグラントリクエストを送信することが可能であり、ここで、上記ＢＳＲは、上記遠隔端末設備の端末設備識別子を含むことが可能である。上記ネットワーク設備は、上記ＢＳＲを受信した後、上記中継端末設備に物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を送信して、上記遠隔端末設備のアップリンクデータ伝送をスケジューリングすることが可能である。上記中継端末設備は、上記ＰＤＣＣＨを受信した後、上記ＰＤＣＣＨに基づいて、上記ネットワーク設備に上記データパケットを送信することが可能である。上記ネットワーク設備は、上記中継端末設備が送信するデータパケットを受信した後、上記データパケットをスケジューリングするためのＰＤＣＣＨに基づいて、上記データパケットに対応する遠隔端末設備を確定することが可能である。このとき、選択的に、上記データパケットは、上記遠隔端末設備の端末設備識別子を含まなくても良いが、本発明の実施例は、これに限定されない。
【００９９】
したがって、本発明の実施例による中継伝送方法において、遠隔端末設備は、中継端末設備にアダプテーション層ＰＤＵを送信し、上記アダプテーション層ＰＤＵは、遠隔端末設備の識別情報を含み、上記中継端末設備は、アダプテーション層で上記アダプテーション層ＰＤＵに含まれる上記遠隔端末設備の識別情報を識別することが可能であり、また上記遠隔端末設備の識別情報に基づいて、上記アダプテーション層ＰＤＵに含まれるデータを転送し、先行技術において中継端末設備が層３中継を使用する方式に比べて、中継端末設備の処理の複雑さを減少させ、中継データの伝送遅延を減少させ、システムの全体的な性能を向上させることが可能である。
【０１００】
図４は、本発明の他の実施例が提供する中継伝送方法３００を概略的に示す。上記中継伝送方法３００は、ダウンリンクデータの中継伝送に適用されることが可能であり、すなわち、ネットワーク設備は、中継端末設備を介して遠隔端末設備にダウンリンクデータを伝送する。
【０１０１】
Ｓ３１０において、ネットワーク設備は、送信しようとするデータをカプセリング処理して、データパケットを生成し、ここで、上記データパケットは、具体的に、Ｕｕインタフェースに対応する層１データフレームまたは層２ＰＤＵであっても良い。
【０１０２】
選択的に、上記層２ＰＤＵは、具体的に、ＭＡＣ  ＰＤＵ、ＲＬＣ  ＰＤＵまたはＰＤＣＰ  ＰＤＵであることが可能であり、本発明の実施例は、これに対して限定しない。
【０１０３】
選択的に、上記データパケットは、上記遠隔端末設備の端末設備識別子を含むことが可能である。
【０１０４】
選択的に、上記データパケットは、中継特定論理チャネル識別子（ＬＣＩＤ：Ｌｏｇｉｃａｌ  Ｃｈａｎｎｅｌ  Ｉｄｅｎｔｉｆｉｅｒ）を含むことが可能であり、上記中継特定ＬＣＩＤは、上記データパケットに含まれるデータが中継データであることを示すために用いられるものであることが可能であり、上記中継端末設備に転送する必要がある。選択的に、上記中継特定ＬＣＩＤは、事前に設定されることが可能であり、ネットワーク設備によって事前に割り当てられることもでき、例えば、ネットワーク設備は、遠隔端末設備のためにベアリングを確立する過程において上記中継特定ＬＣＩＤを割り当てることが可能であるが、本発明の実施例は、これに限定されない。
【０１０５】
選択的に、上記ネットワーク設備は、中継特定無線ネットワーク一時識別子(ＲＮＴＩ：Ｒａｄｉｏ  Ｎｅｔｗｏｒｋ  Ｔｅｍｐｏｒａｒｙ  Ｉｄｅｎｔｉｔｙ)によってスクランブリングされたＰＤＣＣＨを介して上記データパケットをスケジューリングすることが可能である。上記中継特定ＲＮＴＩは、事前に設定されることが可能であり、または、ネットワーク設備が上記遠隔端末設備のために割り当てることが可能であり、例えば、ネットワーク設備が上記遠隔端末設備のためにベアリングの確立する過程において上記遠隔端末設備のために割り当てられることが可能であり、本発明の実施例は、これに対して限定しない。
【０１０６】
Ｓ３２０において、ネットワーク設備は、Ｕｕインタフェースを介して中継端末設備に上記データパケットを送信する。
【０１０７】
Ｓ３３０において、中継端末設備は、ネットワーク設備が送信したデータパケットを受信し、アダプテーション層で上記データパケットに含まれるデータをカプセリング処理して、アダプテーション層ＰＤＵを獲得し、ここで、上記アダプテーション層ＰＤＵは、上記遠隔端末設備の識別情報を含む。
【０１０８】
上記中継端末設備は、上記データパケットを解析処理して、上記データパケットに対応する遠隔端末設備を確定することが可能である。選択的に、上記データパケットが上記遠隔端末設備の端末設備識別子を含む場合、上記中継端末設備は、上記データパケットに含まれる上記遠隔端末設備の端末設備識別子に基づいて、上記データパケットに対応する遠隔端末設備を確定することが可能であるが、本発明の実施例は、これに限定されない。
【０１０９】
上記中継端末設備は、アダプテーション層によって、上記データパケットに含まれるデータをカプセリング処理して、アダプテーション層ＰＤＵを獲得することが可能である。選択的に、上記アダプテーション層ＰＤＵは、上記中継端末設備は、層２でアダプテーション層和底層のみによってカプセリング処理して獲得するものであることが可能であり、アダプテーション層のカプセリング処理の前に、ＰＤＣＰ層とＲＬＣ層のカプセリング処理を介して獲得することが可能である。アダプテーション層のカプセリング処理後、上記中継端末設備は、データを底層に伝送してさらにカプセリング処理を行うことが可能であるが、本発明の実施例は、これに限定されない。
【０１１０】
選択的に、上記遠隔端末設備の識別情報は、上記遠隔端末設備の端末設備識別子を含むことが可能であり、または、上記遠隔端末設備の識別情報は、上記遠隔端末設備のアダプテーション層識別子を含むことが可能であるが、本発明の実施例は、これに限定されない。
【０１１１】
選択的に、上記アダプテーション層ＰＤＵは、上記遠隔端末設備のベアリング識別情報をさらに含むことも可能であり、本発明の実施例は、これに対して限定しない。
【０１１２】
選択的に、上記アダプテーション層ＰＤＵは、上記中継端末設備の識別情報をさらに含むことも可能であるが、本発明の実施例は、これに限定されない。
【０１１３】
選択的に、アダプテーション層ＰＤＵを生成する前に、上記中継端末設備は、上記データパケットに含まれるデータが中継データであり、転送する必要があることを確定することも可能である。具体的に、上記データパケットが中継特定ＬＣＩＤを含む場合、上記中継端末設備は、上記中継特定ＬＣＩＤに基づいて、上記データパケットに含まれるデータを転送する必要があると確定することが可能である。または、上記データパケットが中継特定ＲＮＴＩによってスクランブリングされたＰＤＣＣＨによって、スケジューリングされた場合、上記中継端末設備は、上記データパケットをスケジューリングするためのＰＤＣＣＨに基づいて、上記データパケットに含まれるデータを転送する必要があることを確定することも可能である。選択的に、上記中継端末設備は、他の方式を介して上記データパケットに含まれるデータが中継データであることを確定することが可能であるが、本発明の実施例は、これに対して限定しない。
【０１１４】
Ｓ３４０において、中継端末設備は、遠隔端末設備に上記アダプテーション層ＰＤＵを送信する。
【０１１５】
選択的に、上記中継端末設備は、中継伝送のための伝送リソースを介して上記アダプテーション層ＰＤＵを送信することが可能であるが、本発明の実施例は、これに限定されない。
【０１１６】
Ｓ３５０において、遠隔端末設備は、中継端末設備が送信した上記アダプテーション層ＰＤＵを受信し、アダプテーション層で上記アダプテーション層ＰＤＵに含まれる遠隔端末設備の識別情報を取得して、上記アダプテーション層ＰＤＵが自身に送信されたかどうかを確定する。
【０１１７】
選択的に、上記アダプテーション層ＰＤＵに含まれる識別情報が上記遠隔端末設備の識別子と互いにマッチングされた場合、上記遠隔端末設備は、上記アダプテーション層ＰＤＵが自身に送信されたものであると確定することが可能であり、またさらに上記アダプテーション層ＰＤＵに含まれるデータを復調処理することが可能である。選択的に、上記アダプテーション層ＰＤＵに含まれる識別情報が上記遠隔端末設備の識別子とマッチングされない場合、上記遠隔端末設備は、上記アダプテーション層ＰＤＵが自身に送信されたものではないと確定することが可能であり、またアダプテーション層ＰＤＵを廃棄することが可能であるが、本発明の実施例は、これに限定されない。
【０１１８】
したがって、本発明の実施例による中継伝送方法において、中継端末設備は、ネットワーク設備が送信するデータパケットを受信した後、アダプテーション層で上記データパケットに含まれるデータをカプセリング処理して、アダプテーション層ＰＤＵを獲得することが可能であり、ここで、上記アダプテーション層ＰＤＵは、遠隔端末設備の識別情報を含み、遠隔端末設備に上記アダプテーション層ＰＤＵを送信し、遠隔端末設備は、アダプテーション層で受信されたアダプテーション層ＰＤＵに含まれる遠隔端末設備の識別情報を解析して、上記アダプテーション層ＰＤＵが自身に送信されたものであるかどうかを確定し、先行技術において中継端末設備が層３中継を使用する方式に比べて、中継端末設備の処理の複雑さを減少させ、中継データの伝送遅延を減少させ、システムの全体的な性能を向上させることが可能である。
【０１１９】
上記各過程の番号の大きさは、実行順序の前後を意味するものではなく、各過程の実行順序は、その機能と内在的な論理によって確定されるものであり、本発明の実施例の実施過程に対していずれの限定を構成してはいけないことは理解すべきである。
【０１２０】
以上、図１乃至図４を合わせて、本発明の実施例による中継伝送方法を詳細に説明し、以下、図５乃至図１０を合わせて、本発明の実施例による中継伝送装置を詳細に説明する。
【０１２１】
図５は、本発明の実施例が提供する中継伝送装置４００を示す。上記中継伝送装置４００は、順次にカップリングされる受信ユニット４１０、処理ユニット４２０と送信ユニット４３０を含む。
【０１２２】
一つの選択可能な実施例において、上記中継伝送装置４００は、アップリンクデータの中継伝送に応用されることが可能である。
【０１２３】
受信ユニット４１０は、遠隔端末設備がネットワーク設備に送信したアダプテーション層ＰＤＵを送信するように構成されることが可能であり、ここで、上記アダプテーション層ＰＤＵは、上記遠隔端末設備の識別情報を含み、上記アダプテーション層ＰＤＵは、上記遠隔端末設備が層２のアダプテーション層によって、上記アダプテーション層ＰＤＵに含まれるデータをカプセリング処理して獲得されるものである。
【０１２４】
処理ユニット４２０は、層２のアダプテーション層で、上記受信ユニット４１０によって受信された上記アダプテーション層ＰＤＵに含まれる上記遠隔端末設備の識別情報を取得するように構成されることが可能である。
【０１２５】
送信ユニット４３０は、上記処理ユニット４２０によって取得された上記遠隔端末設備の識別情報に基づいて、上記ネットワーク設備に上記アダプテーション層ＰＤＵに含まれるデータを転送するように構成されることが可能である。
【０１２６】
選択的に、上記遠隔端末設備の識別情報は、上記遠隔端末設備のアダプテーション層識別子または上記遠隔端末設備の端末設備識別子を含む。
【０１２７】
選択的に、上記処理ユニット４２０は、また上記遠隔端末設備の識別情報に基づいて、第２のインタフェースに対応する層２ＰＤＵを生成し、ここで、上記第２のインタフェースは、上記中継伝送装置４００と上記ネットワーク設備との間の通信インタフェースでありように構成され、
対応的に、上記送信ユニット４３０は、具体的に、上記ネットワーク設備に上記処理ユニット４２０によって生成された上記第２のインタフェースに対応する上記層２ＰＤＵを送信するように構成される。
【０１２８】
選択的に、上記アダプテーション層ＰＤＵのヘッダ部は、指示情報を含むことが可能であり、上記指示情報は、上記アダプテーション層ＰＤＵに含まれるデータが中継データであることを示すためのものである。このとき、上記処理ユニット４２０は、上記送信ユニット４３０が取得された上記遠隔端末設備の識別情報に基づいて、上記ネットワーク設備に上記アダプテーション層ＰＤＵに含まれるデータを転送する前に、上記アダプテーション層ＰＤＵに含まれる上記指示情報に基づいて、上記ネットワーク設備に上記アダプテーション層ＰＤＵに含まれるデータを転送する必要があることを確定するようにさらに構成される。
【０１２９】
他の一つの選択可能な実施例において、上記中継伝送装置４００は、ダウンリンクデータの中継伝送に応用されることが可能である。
【０１３０】
受信ユニット４１０は、ネットワーク設備が遠隔端末設備に送信するデータパケットを受信するように構成されることが可能である。
【０１３１】
選択的に、上記データパケットは、具体的に、層１データフレームまたは層２ＰＤＵであることが可能である。
【０１３２】
処理ユニット４２０は、層２のアダプテーション層で上記受信ユニット４１０によって受信された上記データパケットに含まれるデータをカプセリング処理して、アダプテーション層ＰＤＵを獲得するように構成されることが可能であり、ここで、上記アダプテーション層ＰＤＵは、上記遠隔端末設備の識別情報を含む。
【０１３３】
送信ユニット４３０は、上記遠隔端末設備に上記処理ユニット４２０によって獲得される上記アダプテーション層ＰＤＵを送信するように構成されることが可能である。
【０１３４】
選択的に、上記受信ユニット４１０は、具体的に、ネットワーク設備が遠隔端末設備に送信する第２のインタフェースに対応する層２ＰＤＵを受信するように構成されることが可能であり、上記第２のインタフェースに対応する層２ＰＤＵは、上記データを含み、ここで、上記第２のインタフェースは、上記中継伝送装置と上記ネットワーク設備との間の通信インタフェースである。
【０１３５】
選択的に、上記データパケットは、中継特定論理チャネル識別子を含み、このとき、上記処理ユニット４２０は、層２のアダプテーション層で上記データパケットに含まれるデータをカプセリング処理して、アダプテーション層ＰＤＵを獲得する前に、上記中継特定論理チャネル識別子に基づいて、上記データパケットに含まれるデータを転送する必要があることを確定するようにさらに構成されることが可能である。
【０１３６】
選択的に、上記データパケットは、上記ネットワーク設備が中継特定無線ネットワーク一時識別子（ＲＮＴＩ）によってスクランブリングされたＰＤＣＣＨによって、スケジューリングされたものである。このとき、上記処理ユニット４２０は、層２のアダプテーション層で上記データパケットに含まれるデータをカプセリング処理してアダプテーション層ＰＤＵを獲得する前に、上記データパケットをスケジューリングするためのＰＤＣＣＨに使用された中継特定ＲＮＴＩに基づいて、上記データパケットに含まれるデータを転送する必要があることを確定するようにさらに構成されることが可能である。
【０１３７】
本発明の実施例において、上記中継伝送装置４００と上記遠隔端末設備との間の通信インタフェースは、第１のインタフェースであることが可能である。
【０１３８】
選択的に、上記中継伝送装置４００の、第１のインタフェースに対応するユーザープレーンプロトコルスタックにおいて、層２は、底層と上記底層の上に位置する上記アダプテーション層のみを含むことが可能であり、または、上記中継伝送装置４００の、第１のインタフェースに対応するユーザープレーンプロトコルスタックにおいて、層２は、底層、上記アダプテーション層、ＲＬＣ層とＰＤＣＰ層を含むことが可能であり、ここで、上記アダプテーション層は、上記ＲＬＣ層と上記底層との間に位置する。
【０１３９】
選択的に、第１のインタフェースに対応するユーザープレーンプロトコルスタックにおいて、上記アダプテーション層以下に位置する層は、上記中継伝送装置と上記遠隔端末設備との間で使用されるＤ２Ｄ通信技術に対応することが可能である。
【０１４０】
具体的に、上記アダプテーション層以下に位置する層は、層１と層２の底層を含むことが可能である。
【０１４１】
一つの選択可能な例において中継伝送装置４００は、具体的に、上記実施例における中継端末設備であることが可能であり、中継伝送装置４００は、上記方法の実施例中の中継端末設備と対応する各プロセス及び／またはステップを実行するように構成されることが可能であり、重複を避けるため、ここで繰り返して説明しない。
【０１４２】
図６は、本発明の実施例が提供する中継伝送装置５００を示す。上記中継伝送装置５００は、アップリンクデータの中継伝送に応用されることが可能である。上記中継伝送装置５００は、
層２のアダプテーション層でネットワーク設備に送信されるデータをカプセリング処理して、アダプテーション層ＰＤＵを獲得するように構成され、ここで、上記アダプテーション層ＰＤＵは、上記中継伝送装置の識別情報を含む処理ユニット５１０と、
中継端末設備に上記処理ユニットによって生成される上記アダプテーション層ＰＤＵを送信するように構成される送信ユニット５２０とを含む。
【０１４３】
選択的に、上記中継伝送装置５００の識別情報は、上記中継伝送装置５００のアダプテーション層識別子または上記中継伝送装置５００の端末設備識別子を含む。
【０１４４】
上記中継端末設備と上記中継伝送装置５００との間の通信インタフェースは、具体的に第１のインタフェースであることが可能である。
【０１４５】
選択的に、上記中継端末設備の、第１のインタフェースに対応するユーザープレーンプロトコルスタックにおいて、層２は、底層と上記底層の上に位置する上記アダプテーション層のみを含み、または、上記中継端末設備の、第１のインタフェースに対応するユーザープレーンプロトコルスタックにおいて、層２は、底層、上記アダプテーション層、ＲＬＣ層とＰＤＣＰ層を含み、ここで、上記アダプテーション層は、上記ＲＬＣ層と上記底層との間に位置する。
【０１４６】
選択的に、第１のインタフェースに対応するユーザープレーンプロトコルスタックにおいて、上記アダプテーション層以下に位置する層は、上記中継端末設備と上記中継伝送装置５００との間で使用されるＤ２Ｄ通信技術に対応する。
【０１４７】
選択的に、上記アダプテーション層ＰＤＵのヘッダ部は、指示情報を含み、上記指示情報は、上記アダプテーション層ＰＤＵに含まれるデータが中継データであることを示すためのものである。
【０１４８】
選択的に、上記アダプテーション層ＰＤＵは、上記データが属するベアリングのベアリング識別情報をさらに含む。
【０１４９】
一つの選択可能な例において、中継伝送装置５００は、具体的に、上記実施例における遠隔端末設備であることが可能であり、中継伝送装置５００は、上記方法の実施例中の遠隔端末設備と対応する各プロセス及び／またはステップを実行するように構成されることが可能であり、重複を避けるため、ここで繰り返して説明しない。
【０１５０】
図７は、本発明の実施例が提供する中継伝送装置６００を示す。上記中継伝送装置６００は、ダウンリンクデータの中継伝送に応用されることが可能である。上記中継伝送装置６００は、
中継端末設備が送信するアダプテーション層ＰＤＵを受信するように構成され、ここで、上記アダプテーション層ＰＤＵは、上記中継伝送装置６００の識別情報を含む受信ユニット６１０と、
層２のアダプテーション層で、上記受信ユニット６１０が受信した上記アダプテーション層ＰＤＵに含まれる上記中継伝送装置６００の識別情報を取得し、取得された上記中継伝送装置６００の識別情報に基づいて、上記アダプテーション層ＰＤＵに対応する遠隔端末設備を確定するように構成される処理ユニット６２０とを含む。
【０１５１】
選択的に、上記中継伝送装置６００の識別情報は、上記中継伝送装置６００のアダプテーション層識別子または上記中継伝送装置６００の端末設備識別子を含む。
【０１５２】
上記中継端末設備と上記中継伝送装置６００との間の通信インタフェースは、上記第１のインタフェースである。
【０１５３】
選択的に、上記中継端末設備の、第１のインタフェースに対応するユーザープレーンプロトコルスタックにおいて、層２は、底層と上記底層の上に位置する上記アダプテーション層のみを含み、または、上記中継端末設備の、第１のインタフェースに対応するユーザープレーンプロトコルスタックにおいて、層２は、底層、上記アダプテーション層、ＲＬＣ層とＰＤＣＰ層を含み、ここで、上記アダプテーション層は上記ＲＬＣ層と上記底層との間に位置する。
【０１５４】
選択的に、第１のインタフェースに対応するユーザープレーンプロトコルスタックにおいて、上記アダプテーション層以下に位置する層は、上記中継端末設備と上記遠隔端末設備との間で使用されるＤ２Ｄの通信技術に対応する。
【０１５５】
一つの選択可能な例において、中継伝送装置６００は、具体的に、上記実施例における遠隔端末設備であることが可能であり、中継伝送装置６００上記方法の実施例中の遠隔端末設備と対応する各プロセス及び／またはステップを実行するために使用することが可能であり、重複を避けるため、ここで繰り返して説明しない。
【０１５６】
図８は、本発明の実施例が提供する中継伝送装置７００を示す。上記中継伝送装置７００は、順次にカップリングされる受信機７１０、プロセッサ７２０と送信機７３０を含む。
【０１５７】
一つの選択可能な実施例において、上記中継伝送装置７００は、アップリンクデータの中継伝送に応用されることが可能である。
【０１５８】
受信機７１０は、遠隔端末設備がネットワーク設備に送信したアダプテーション層ＰＤＵを受信するように構成されることが可能であり、ここで、上記アダプテーション層ＰＤＵは、上記遠隔端末設備の識別情報を含み、また上記アダプテーション層ＰＤＵは、上記遠隔端末設備が層２のアダプテーション層で上記アダプテーション層ＰＤＵに含まれるデータをカプセリング処理して取得されたものである。
【０１５９】
プロセッサ７２０は、層２のアダプテーション層で、上記受信機７１０が受信した上記アダプテーション層ＰＤＵに含まれる上記遠隔端末設備の識別情報を取得するように構成されることが可能である。
【０１６０】
送信機７３０は、上記プロセッサ７２０によって獲得される上記遠隔端末設備の識別情報に基づいて、上記ネットワーク設備に上記アダプテーション層ＰＤＵに含まれるデータを転送するように構成されることが可能である。
【０１６１】
選択的に、上記遠隔端末設備の識別情報は、上記遠隔端末設備のアダプテーション層識別子または上記遠隔端末設備の端末設備識別子を含む。
【０１６２】
選択的に、上記プロセッサ７２０は、上記遠隔端末設備の識別情報に基づいて、第２のインタフェースに対応する層２ＰＤＵを生成するようにさらに構成されることが可能であり、ここで、上記第２のインタフェースは、上記中継伝送装置７００と上記ネットワーク設備との間の通信インタフェースである。
【０１６３】
対応的に、上記送信機７３０は、具体的に、上記ネットワーク設備に上記プロセッサ７２０によって生成された上記第２のインタフェースに対応する上記層２ＰＤＵを送信するように構成される。
【０１６４】
選択的に、上記アダプテーション層ＰＤＵのヘッダ部は、指示情報を含み、上記指示情報は、上記アダプテーション層ＰＤＵに含まれるデータ中継データであることを示すためのものである。このとき、上記プロセッサ７２０は、上記送信機７３０が取得された上記遠隔端末設備の識別情報に基づいて、上記ネットワーク設備に上記アダプテーション層ＰＤＵに含まれるデータを転送する前に、上記アダプテーション層ＰＤＵに含まれる上記指示情報に基づいて、上記ネットワーク設備に上記アダプテーション層ＰＤＵに含まれるデータを転送する必要があることを確定するようにさらに構成されることも可能である。
【０１６５】
他の一つの選択可能な実施例において、上記中継伝送装置７００は、ダウンリンクデータの中継伝送に応用されることが可能である。
【０１６６】
受信機７１０は、ネットワーク設備が遠隔端末設備に送信するデータパケットを受信するように構成されることが可能である。
【０１６７】
選択的に、上記データパケットは、具体的に、層１データフレームまたは層２ＰＤＵであることが可能である。
【０１６８】
プロセッサ７２０は、層２のアダプテーション層で、上記受信機７１０によって受信された上記データパケットに含まれるデータをカプセリング処理して、アダプテーション層ＰＤＵを獲得するように構成されることが可能であり、ここで、上記アダプテーション層ＰＤＵは、上記遠隔端末設備の識別情報を含む。
【０１６９】
送信機７３０は、上記遠隔端末設備に上記プロセッサ７２０によって獲得される上記アダプテーション層ＰＤＵを送信するように構成されることが可能である。
【０１７０】
選択的に、受信機７１０は、具体的に、ネットワーク設備が遠隔端末設備に送信する第２のインタフェースに対応する層２ＰＤＵを受信するように構成されることが可能であり、上記第２のインタフェースに対応する層２ＰＤＵは、上記データを含み、ここで、上記第２のインタフェースは、上記中継伝送装置と上記ネットワーク設備との間の通信インタフェースである。
【０１７１】
選択的に、上記データパケットは、中継特定論理チャネル識別子を含み、このとき、上記プロセッサ７２０は、層２のアダプテーション層で上記データパケットに含まれるデータをカプセリング処理して、アダプテーション層ＰＤＵを獲得する前に、上記中継特定論理チャネル識別子に基づいて、上記データパケットに含まれるデータを転送する必要があることを確定するようにさらに構成されることも可能である。
【０１７２】
選択的に、上記データパケットは、上記ネットワーク設備が中継特定無線ネットワーク一時識別子（ＲＮＴＩ）によってスクランブリングされたＰＤＣＣＨによって、スケジューリングされたものである。このとき、上記プロセッサ７２０は、層２のアダプテーション層で、上記データパケットに含まれるデータをカプセリング処理してアダプテーション層ＰＤＵを獲得する前に、上記データパケットをスケジューリングするためのＰＤＣＣＨに使用された中継特定ＲＮＴＩに基づいて、上記データパケットに含まれるデータを転送する必要があることを確定するようにさらに構成されることが可能である。
【０１７３】
本発明の実施例において、上記中継伝送装置７００と上記遠隔端末設備との間の通信インタフェースは、第１のインタフェースであることが可能である。
【０１７４】
選択的に、上記中継伝送装置７００の、第１のインタフェースに対応するユーザープレーンプロトコルスタックにおいて、層２は、底層と上記底層の上に位置する上記アダプテーション層のみを含むことが可能であり、または、上記中継伝送装置７００の、第１のインタフェースに対応するユーザープレーンプロトコルスタックにおいて、層２は、底層、上記アダプテーション層、ＲＬＣ層とＰＤＣＰ層を含むことが可能であり、ここで、上記アダプテーション層は、上記ＲＬＣ層と上記底層との間に位置する。
【０１７５】
選択的に、第１のインタフェースに対応するユーザープレーンプロトコルスタックにおいて、上記アダプテーション層以下に位置する層は、上記中継伝送装置と上記遠隔端末設備との間で使用されるＤ２Ｄ通信技術に対応することが可能である。
【０１７６】
具体的に、上記アダプテーション層以下に位置する層は、層１と層２の底層を含むことが可能である。
【０１７７】
中継伝送装置７００は、具体的に、上記実施例における中継端末設備であることが可能であり、また、上記方法の実施例中の中継端末設備と対応する各ステップ及び／またはプロセスを実行するように構成されることは理解すべきである。選択的に、中継伝送装置７００は、メモリを含むことが可能であり、上記メモリは、読取専用メモリとランダムアクセスメモリを含み、またプロセッサに命令とデータを提供することが可能である。メモリの一部は、非揮発性ランダムアクセスメモリを含むことが可能である。例えば、メモリは、設備タイプの情報を記憶することが可能である。プロセッサは、メモリに記憶された命令を実行するように構成されることが可能であり、また、上記プロセッサがメモリに記憶された命令を実行する場合、上記プロセッサは、上記方法の実施例の各ステップ及び／またはプロセスを実行するように構成される。
【０１７８】
図９は、本発明の実施例が提供する中継伝送装置８００を示す。上記中継伝送装置８００は、アップリンクデータの中継伝送に応用されることが可能である。上記中継伝送装置８００は、
層２のアダプテーション層で、ネットワーク設備に送信しようとするデータをカプセリング処理して、アダプテーション層ＰＤＵを獲得するように構成され、ここで、上記アダプテーション層ＰＤＵは、上記中継伝送装置８００の識別情報を含むプロセッサ８１０と、
中継端末設備に上記送信機８２０が生成した上記アダプテーション層ＰＤＵを送信するように構成される送信機８２０とを含む。
【０１７９】
選択的に、上記中継伝送装置８００の識別情報は、上記中継伝送装置８００のアダプテーション層識別子または上記中継伝送装置８００の端末設備識別子を含む。
【０１８０】
上記中継端末設備と上記中継伝送装置８００との間の通信インタフェースは、具体的に第１のインタフェースであることが可能である。
【０１８１】
選択的に、上記中継端末設備の、第１のインタフェースに対応するユーザープレーンプロトコルスタックにおいて、層２は、底層と上記底層の上に位置する上記アダプテーション層のみを含み、または、上記中継端末設備の、第１のインタフェースに対応するユーザープレーンプロトコルスタックにおいて、層２は、底層、上記アダプテーション層、ＲＬＣ層とＰＤＣＰ層を含み、ここで、上記アダプテーション層は、上記ＲＬＣ層と上記底層との間に位置する。
【０１８２】
選択的に、第１のインタフェースに対応するユーザープレーンプロトコルスタックにおいて、上記アダプテーション層以下に位置する層は、上記中継端末設備と上記中継伝送装置８００との間で使用されるＤ２Ｄ通信技術に対応する。
【０１８３】
選択的に、上記アダプテーション層ＰＤＵのヘッダ部は、指示情報を含み、上記指示情報は、上記アダプテーション層ＰＤＵに含まれるデータが中継データであることを示すためのものである。
【０１８４】
選択的に、上記アダプテーション層ＰＤＵは、上記データが属するベアリングのベアリング識別情報をさらに含む。
【０１８５】
中継伝送装置８００は、具体的に、上記実施例における遠隔端末設備であることが可能であり、また、上記方法の実施例中の遠隔端末設備と対応する各ステップ及び／またはプロセスを実行するように構成されることは理解すべきである。選択的に、中継伝送装置８００は、メモリを含むことが可能であり、上記メモリは、読取専用メモリとランダムアクセスメモリを含むことが可能であり、またプロセッサに命令とデータを提供する。メモリの一部は、非揮発性ランダムアクセスメモリを含むことが可能である。例えば、メモリは、設備タイプの情報を記憶することが可能である。プロセッサは、メモリに記憶された命令を実行するように構成されることが可能であり、また、上記プロセッサがメモリに記憶された命令を実行する場合、上記プロセッサは、上記方法の実施例の各ステップ及び／またはプロセスを実行するように構成される。
【０１８６】
図１０は、本発明の実施例が提供する中継伝送装置９００を示す。上記中継伝送装置９００は、ダウンリンクデータの中継伝送に応用されることが可能である。上記中継伝送装置９００は、
中継端末設備が送信したアダプテーション層ＰＤＵを受信するように構成され、ここで、上記アダプテーション層ＰＤＵは、上記中継伝送装置９００の識別情報を含む受信機９１０と、
層２のアダプテーション層で上記受信機９１０によって受信される上記アダプテーション層ＰＤＵに含まれる上記中継伝送装置６００の識別情報を取得し、取得された上記中継伝送装置９００の識別情報に基づいて、上記アダプテーション層ＰＤＵに対応する遠隔端末設備を確定するためのプロセッサ９２０とを含む。
【０１８７】
選択的に、上記中継伝送装置９００の識別情報は、上記中継伝送装置９００のアダプテーション層識別子または上記中継伝送装置９００の端末設備識別子を含む。
【０１８８】
上記中継端末設備と上記中継伝送装置９００との間の通信インタフェースは、上記第１のインタフェースである。
【０１８９】
選択的に、上記中継端末設備の、第１のインタフェースに対応するユーザープレーンプロトコルスタックにおいて、層２は、底層と上記底層の上に位置する上記アダプテーション層のみを含み、または、上記中継端末設備の、第１のインタフェースに対応するユーザープレーンプロトコルスタックにおいて、層２は、底層、上記アダプテーション層、ＲＬＣ層とＰＤＣＰ層を含み、ここで、上記アダプテーション層は上記ＲＬＣ層と上記底層との間に位置する。
【０１９０】
選択的に、第１のインタフェースに対応するユーザープレーンプロトコルスタックにおいて、上記アダプテーション層以下に位置する層は、上記中継端末設備と上記中継伝送装置９０との間で使用されるＤ２Ｄの通信技術に対応する。
【０１９１】
中継伝送装置９００は、具体的に、上記実施例における遠隔端末設備であることが可能であり、中継伝送装置９００は、上記方法の実施例中の中継端末設備と対応する各ステップ及び／またはプロセスを実行するために使用することは理解すべきである。選択的に、中継伝送装置９００は、メモリを含むことが可能であり、上記メモリは、読取専用メモリとランダムアクセスメモリを含むことが可能であり、またプロセッサに命令とデータを提供する。メモリの一部は、非揮発性ランダムアクセスメモリを含むことが可能である。例えば、メモリは、設備タイプの情報を記憶することが可能である。プロセッサは、メモリに記憶された命令を実行するように構成されることが可能であり、また、上記プロセッサがメモリに記憶された命令を実行する場合、上記プロセッサは、上記方法の実施例の各ステップ及び／またはプロセスを実行するように構成される。
【０１９２】
本発明の実施例において、上記プロセッサは、中央処理ユニット（ＣＰＵ：Ｃｅｎｔｒａｌ  Ｐｒｏｃｅｓｓｉｎｇ  Ｕｎｉｔ）であっても良く、上記プロセッサは、他の汎用プロセッサ、デジタル信号プロセッサ（ＤＳＰ）、専用集積回路（ＡＳＩＣ）、フィールドプログラマブルゲートアレイ（ＦＰＧＡ）または他のプログラマブルロジックデバイス、個別ゲートまたはトランジスタ論理素子、個別のハードウェアコンポーネント等であっても良いことは理解すべきである。汎用プロセッサはマイクロプロセッサであっても良く、または、上記プロセッサは任意の一般的なプロセッサ等であっても良い。
【０１９３】
本発明の実施例は、上記の任意の実施例中の中継端末設備、遠隔端末設備とネットワーク設備を含むことが可能である無線通信システムを提供する。
【０１９４】
本文の実施例の説明は、各実施例との間の相違点に重点を置いて強調し、同一または類似の点は、相互参照することができ、簡潔にするため、ここで繰り返して説明しないことは理解すべきである。
【０１９５】
実現過程において、上記方法の各ステップは、プロセッサのハードウェアの集積論理回路またはソフトウェアの形態の命令によって完成されることができる。本発明の実施例と合わせて公開された方法のステップは、ハードウェアプロセッサで直接に実現されて実行されることができる、またはプロセッサのハードウェアとソフトウェアモジュールの組み合わせによって実行されることができる。ソフトウェアモジュールは、ランダムメモリ、フラッシュメモリ、読取専用メモリ、プログラマブル読取専用メモリまたは電気的消去可能プログラマブルメモリ、レジスタ等、本技術分野の成熟した記憶媒体に位置することができる。上記記憶媒体は、メモリに位置し、プロセッサは、メモリ中の命令を実行した後、そのハードウェアと組み合わせて、上記の方法のステップを完了する。重複を避けるため、ここで詳細に説明しない。
【０１９６】
重複を避けるために、本文の実施例の説明は、各実施例の間の相違点に重点を置いて強調し、同一または類似の点は、相互参照することができることは理解すべきである。
【０１９７】
当業者であれば、本文で開示された実施例に関連して記述された各方法ステップとユニットは、電子ハードウェア、コンピュータソフトウェア、又は両者の組み合わせを介して実現され、ハードウェアとソフトウェアとの互換性を明確に説明するために、各実施例のステップ及び構成は、前記説明において既に機能に従って一般的に説明されているあることを理解するだろう。これらの機能は、ハードウェア方式で実行されるかまたはソフトウェア方式で実行されるかは、技術的解決手段の特定応用と設計上の制約条件によって異なる。当業者は、各特定的な応用に対して異なる方法によって上記した機能を実現することができるが、このような実現は本発明の範囲を超えてはならない。
【０１９８】
当業者であれば、説明の便宜および簡潔さのために、上記で記述したシステム、装置及びユニットの具体的な作動過程は、前述方法の実施例中の対応する過程を参照することができ、ここで再び説明されないことを明確に理解すべきである。
【０１９９】
本発明が提供するいくつかの実施例において、開示されたシステム、装置及び方法は、他の方式で実現され得ることを理解されたい。例えば、上記で記述した装置の実施例は、単なる例示的であり、例えば、前記ユニットの区分は、単なる論理機能の区分であり、実際に実現する際には、他の区分方法を有することができ、例えば、複数のユニットまたはコンポーネントは、もう一つのシステムに組み合わせたり、または集積したり、またはある特徴を無視したり、または実行しないことができる。もう一つとして、表示されたり、または議論した相互の間のカップリングまたは直接のカップリングまたは通信接続は、あるインタフェース、装置またはユニットを介した間接的なカップリングまたは通信接続であってもよく、電気的、機械的または他の形態であってもよい。
【０２００】
前記分離の構成要素として記述したユニットは、物理的に分離されてもよくされなくてもよく、ユニットとして表示される構成要素は、物理ユニットであってもなくてもよく、即ち、一つの箇所に位置するか、または複数のネットワークユニット上に分布されてもよく。実際の必要に応じて、その中の一部または全部のユニットを選択して本実施例の解決策の目的を実現することができる。
【０２０１】
なお、本発明の各実施例においての各機能ユニットは、一つの処理ユニットに集積されてもよいし、各ユニットが物理的に別々に存在してもよいし、二つまたは二つ以上のユニットが一つのユニットに集積されてもよい。上記集積されたユニットは、ハードウェアの形で実現されることもでき、ソフトウェット機能ユニットの形で実現されることもできる。
【０２０２】
上記集積されたユニットは、ソフトウェア機能ユニットの形態に実現され、独立的な製品として販売または使用する場合、一つのコンピュータ可読記憶媒体に記憶されてもよい。このような理解に基づいて、本発明の技術的解決策の本質上、または先行技術に対して貢献のある部分または上記技術的解決策の部分は、ソフトウェアの製品の形態で実現されることができ、上記コンピュータソフトウェア製品は、一つの記憶媒体に記憶され、一台のコンピュータ設備（パーソナルコンピュータ、サーバ、またはネットワーク設備等）が本発明の各実施例の前記方法の全部または一部のステップを実行させるために、いくつかのインストラクションが記憶される。前述記憶媒体には、プログラム符号を記憶可能なＵディスク、ポータブルハードディスク、読み取り専用メモリ（ＲＯＭ：Ｒｅａｄ-Ｏｎｌｙ  Ｍｅｍｏｒｙ）、ランダム・アクセス・メモリ（ＲＡＭ：Ｒａｎｄｏｍ  Ａｃｃｅｓｓ  Ｍｅｍｏｒｙ）、磁気ディスクまたは光ディスクなどが含まれる。
【０２０３】
以上、本発明の具体的な実施形態についてのみ説明したが、本発明の保護範囲はこれに限定されるものではなく、当業者であれば、本発明が提示した技術的範囲内で容易に変更または交替を知ることができ、本発明の保護範囲内に含まれるべきである。したがって、本発明の保護範囲は、請求の保護範囲に基づかなければならない。
【図１】
2020191672.tif 000003
【図２ａ】
2020191672.tif 000004
【図２ｂ】
2020191672.tif 000005
【図３】
2020191672.tif 000006
【図４】
2020191672.tif 000007
【図５】
2020191672.tif 000008
【図６】
2020191672.tif 000009
【図７】
2020191672.tif 000010
【図８】
2020191672.tif 000011
【図９】
2020191672.tif 000012
【図１０】
2020191672.tif 000013